(57)【要約】  使用中に空気が送り込まれるタイプの潜水用ヘルメット（１０）。潜水用ヘルメット（１０）は、利用者が前方と後方の両方向を見ることのできるように実質的に透明材料で作られたヘッド部分（１２）を含む。潜水用ヘルメット（１０）はさらに、ヘッド部分（１２）から突出した身体接触カラー部分（１８）も含む。身体接触カラー部分（１８）は、使用中、潜水用ヘルメット（１０）が傾かないようにした肩係合部分（２４）を持っている。
2008531357.tif 000002
【特許請求の範囲】
【請求項１】
使用中に空気が送り込まれるタイプの潜水用ヘルメットであって、
利用者が前方と後方の両方向を見ることのできるように実質的に透明材料で作られたヘッド部分と、
前記ヘッド部分から突出した身体接触カラー部分であって、使用中、潜水用ヘルメットが傾かないようにした肩係合部分を持っている身体接触カラー部分と、
を含むことを特徴とする潜水用ヘルメット。
【請求項２】
前記肩係合部分が、実質的に前記身体接触カラー部分の第１の軸線に沿って突出している逆Ｕ字形部分であって、利用者の肩に係合するようにし、それにより、使用中、潜水用ヘルメットを確実に位置づける逆Ｕ字形部分を含むことを特徴とする請求項１に記載の潜水用ヘルメット。
【請求項３】
前記第１の軸線が、前記身体接触カラー部分の中心と一致していることを特徴とする請求項２に記載の潜水用ヘルメット。
【請求項４】
前記利用者用の潜水用ヘルメットを理想的なサイズにするために、前記逆Ｕ字形部分内に入れられた充填パッドを含むことを特徴とする請求項２または３に記載の潜水用ヘルメット。
【請求項５】
使用中に空気が送り込まれるタイプの潜水用ヘルメットであって、
利用者が前方と後方の両方向を見ることのできるようにする実質的に透明材料で作られたヘッド部分と、
前記ヘッド部分から突出した身体接触カラー部分であって、潜水用ヘルメットが水中に沈められると、水で満たされて、それにより潜水用ヘルメットに作用する浮力を減らすようにした両端の開いた空胴が少なくとも１つ設けられている身体接触カラー部分と、
を含むことを特徴とする潜水用ヘルメット。
【請求項６】
前記空胴が、前記身体接触カラー部分の外周に設けられた少なくとも２つの開口を介して、水で満たされるようにしていることを特徴とする請求項５に記載の潜水用ヘルメット。
【請求項７】
使用中に空気が送り込まれるタイプの潜水用ヘルメットであって、
利用者が前方と後方の両方向を見ることのできるようにする実質的に透明材料で作られたヘッド部分と、
前記ヘッド部分から突出した身体接触カラー部分と、
を含み、
前記ヘッド部分が、実質的には、まったく同じに成形された２つの半分の外面から作られており、また、前記身体接触カラー部分が、実質的には、まったく同じに成形された２つの半分のカラーから作られていることを特徴とする潜水用ヘルメット。
【請求項８】
前記半分の外面が、着脱自在な留め具を用いて互いに接合されることを特徴とする請求項７に記載の潜水用ヘルメット。
【請求項９】
前記半分のカラーが、着脱自在な留め具を用いて互いに接合されることを特徴とする請求項７または８に記載の潜水用ヘルメット。
【請求項１０】
前記半分の外面を前記半分のカラーに接合するために、固定手段が使用されることを特徴とする請求項７ないし９のいずれか１つに記載の潜水用ヘルメット。
【請求項１１】
少なくとも１つのスペーサ・プレートと少なくとも１つのガスケット部材が、前記半分の外面と外面とを引き離し、さらに、前記スペーサ・プレートと前記ガスケット部材が、前記半分のカラーとカラーとを引き離すことを特徴とする請求項７ないし１０のいずれか１つに記載の潜水用ヘルメット。
【請求項１２】
前記ヘッド部分の上側後部に設けられた空気流入口であって、前記送気源に連絡されるようにし、それにより、呼吸用空気を前記利用者に供給する空気流入口をさらに含むことを特徴とする請求項１ないし１１のいずれか１つに記載の潜水用ヘルメット。
【請求項１３】
前記ヘッド部分と前記カラー部分との間に設けられた２つの向い合った持上げ用取っ手をさらに含むことを特徴とする請求項１ないし１２のいずれか１つに記載の潜水用ヘルメット。
【請求項１４】
前記向い合った持上げ用取っ手が、前記スペーサ・プレートに取り付けられることを特徴とする請求項１３に記載の潜水用ヘルメット。
【請求項１５】
使用中に空気が送り込まれるタイプの潜水用ヘルメットであって、利用者の頭に嵌るようにしたヘッド部分を持ち、上記ヘッド部分が、実質的にまったく同じに成形された２つの半体から形成されていることを特徴とする潜水用ヘルメット。
【請求項１６】
前記半体のそれぞれが、実質的に透明材料で作られていることを特徴とする請求項１５に記載の潜水用ヘルメット。
【請求項１７】
実質的には、射出成形合成樹脂で作られることを特徴とする請求項１ないし１６のいずれか１つに記載の潜水用ヘルメット。
【請求項１８】
実質的には、添付図面および／または例に示される本発明の実施形態のいずれか１つを参照して本明細書に記述される通りの潜水用ヘルメット。
【発明の詳細な説明】
【技術分野】
【０００１】
本発明は、潜水用ヘルメットに関し、特に、使用中、一定量の呼吸用空気が送り込まれるタイプの潜水用ヘルメットに関する。
【背景技術】
【０００２】
本明細書を通して、従来技術のいかなる説明も、このような従来技術が、広く知られているか、あるいは、当技術分野の常識の一部を成すという認められた事実とは、まったく見なされてはならない。
【０００３】
ダイバーが、水中探検のために、ゴーグルとシュノーケルで構成される装置を使用することが知られている。一般に、ダイバーは、定期的に水面まで上がってきて、大きな息をし、その後で戻って、自らの探検を続ける。
【０００４】
別法として、ダイバーが、定期的に水面まで上がってきて息をすることを望まない場合には、身体に取り付けた空気貯蔵タンクを使用して、呼吸用空気を、マウスピースを介してダイバーに供給することがある。このような構成は、少なくとも或るレベルの事前トレーニングを必要とし、もっと低い深い底を探検したいと思っているダイバーの典型をなし、それゆえ、浅瀬しか探検したくない初心者ダイバーにとってあまり実用的ではない。
【０００５】
近年では、他の潜水方法が用いられている。この方法は、遠く離れた送気源（air supply）から、呼吸用空気が絶えず供給されるような潜水用ヘルメットの利用にかかわるものである。この潜水用ヘルメットは、水中に沈められたときに、逆にしたドームに似るように端が開いており（open ended）、その前側の透明な面により、ダイバーが外方を見ることができる。
【０００６】
潜水用ヘルメット中の送気連結部（air supply connection）により、上記の遠く離れた送気ユニットからホースを介して供給される呼吸用空気を利用できる。一般に、潜水用ヘルメットは、ダイバーの肩に載っていて、しかも、潜水用ヘルメットの下部周縁と、ダイバーの身体との間に形成された隙間を通して、余分の空気が排出される。
【０００７】
上記のような潜水用ヘルメットは、最小限のトレーニングで素早く水中に潜りたいと思う初心者ダイバーには非常に人気が出てきており、それにより、理想的には観光旅行業界に適している。
【０００８】
この種の潜水用ヘルメットの１つの問題は、このような大量の空気を、水中に沈められた密閉容積（volume）に入れることで生じる浮力の大きさである。一般に、この問題は、鉛のおもりを付けることで解決される。あいにく、このことから、この潜水用ヘルメットは、水の外では、運ぶのに少なくとも二人を必要とするくらい重くなる。
【０００９】
これらのタイプの潜水用ヘルメットに関連する他の問題は、この種の潜水用ヘルメットが、ダイバーの肩に載せられると、動き回る傾向があることである。これにより、潜水用ヘルメットが、使用中に前方または後方に傾くことが多い。なぜなら、この潜水用ヘルメットは、ダイバーの頭にかぶせるのに充分必要な位置に置かれないからである。
【００１０】
このような形態の潜水用ヘルメットのさらに他の問題は、ダイバーによる後方の視界がまったく得られないことである。これは、透明な前方視バイザー（front viewing visor）だけを持ち、前方を見るためにしか設計されてないからである。
【００１１】
この形態の潜水用ヘルメットのさらに他の問題は、高い製造費である。一般に、この種の潜水用ヘルメットは、合成樹脂材料から成形されたものである。求められる形状は一般に複雑であるから、多数の金型および成形作業が必要となる。
【００１２】
それゆえ、本発明の目的は、その好ましい形態において、呼吸用空気が絶えず供給されるタイプの潜水用ヘルメットであって、従来技術の欠点の少なくとも１つを解決または改善するか、あるいは、有用な代替方法を可能にする潜水用ヘルメットを提供することである。
【発明の開示】
【発明が解決しようとする課題】
【００１３】
本発明の第１の面により、使用中に空気が送り込まれるタイプの潜水用ヘルメットであって、
・利用者が前方と後方の両方向を見ることのできるように実質的に透明材料で作られたヘッド部分と、
・このヘッド部分から突出した身体接触カラー部分であって、使用中、この潜水用ヘルメットが傾かないようにした肩係合部分を持っている身体接触カラー部分と、
を含む潜水用ヘルメットが提供される。
【００１４】
好ましくは、この肩係合部分は、実質的に身体接触カラー部分の第１の軸線に沿って突出している逆Ｕ字形部分であって、利用者の肩に係合するようにし、それにより、使用中、潜水用ヘルメットを確実に位置づける逆Ｕ字形部分を含む。
【００１５】
好ましくは、上記第１の軸線は、この身体接触カラー部分の中心と一致している。
【００１６】
好ましくは、充填パッドを逆Ｕ字形部分内に入れて、利用者用の潜水用ヘルメットを理想的なサイズにする。
【００１７】
本発明の他の面により、使用中に空気が送り込まれるタイプの潜水用ヘルメットであって、
・利用者が前方と後方の両方向を見ることのできるようにする実質的に透明材料で作られたヘッド部分と、
・このヘッド部分から突出した身体接触カラー部分であって、上記潜水用ヘルメットが水中に沈められると、水で満たされて、それによりこの潜水用ヘルメットに作用する浮力を減らすようにした両端の開いた空胴が少なくとも１つ設けられている身体接触カラー部分と、
を含む潜水用ヘルメットが提供される。
【００１８】
好ましくは、この空胴は、身体接触カラー部分の外周に設けられた少なくとも２つの開口を介して、水で満たされるようにしている。
【００１９】
本発明のさらに他の面により、使用中に空気が送り込まれるタイプの潜水用ヘルメットであって、
・利用者が前方と後方の両方向を見ることのできるようにする実質的に透明材料で作られたヘッド部分と、
・このヘッド部分から突出した身体接触カラー部分と、
を含み、
上記ヘッド部分が、実質的には、まったく同じに成形された２つの半分の外面から作られており、また、上記身体接触カラー部分が、実質的には、まったく同じに成形された２つの半分のカラーから作られている潜水用ヘルメットが提供される。
【００２０】
好ましくは、これらの半分の外面は、着脱自在な留め具を用いて互いに接合される。
【００２１】
好ましくは、これらの半分のカラーは、着脱自在な留め具を用いて互いに接合される。
【００２２】
好ましくは、上記半分の外面を上記半分のカラーに接合するために、固定手段が使用される。
【００２３】
好ましくは、少なくとも１つのスペーサ・プレートと少なくとも１つのガスケット部材は、これら半分の外面と外面とを引き離し、さらに、このスペーサ・プレートとこのガスケット部材は、これら半分のカラーとカラーとを引き離す。
【００２４】
好ましくは、この潜水用ヘルメットはさらに、このヘッド部分の上側後部に設けられた空気流入口であって、送気源に連絡されるようにし、それにより、呼吸用空気を利用者に供給する空気流入口も含む。
【００２５】
好ましくは、この潜水用ヘルメットはさらに、このヘッド部分とこのカラー部分との間に設けられた２つの向い合った持上げ用取っ手も含む。
【００２６】
好ましくは、これらの向い合った持上げ用取っ手は、上記スペーサ・プレートに取り付けられる。
【００２７】
好ましくは、この潜水用ヘルメットは、実質的には、射出成形合成樹脂で作られる。
【００２８】
本発明のさらに他の面により、使用中に空気が送り込まれるタイプの潜水用ヘルメットであって、利用者の頭に嵌るようにしたヘッド部分を持ち、上記ヘッド部分が、実質的にまったく同じに成形された２つの半体から形成されている潜水用ヘルメットが提供される。
【００２９】
次に、添付図面を参照して、例示としてのみ本発明の好ましい実施形態を説明する。
【発明を実施するための最良の形態】
【００３０】
図１〜図５は、本発明の好ましい実施形態による潜水用ヘルメット１０を示している。潜水用ヘルメット１０は、ヘッド部分１２とカラー部分１８から成っており、ヘッド部分１２とカラー部分１８はそれぞれ、接合平面１００に沿って接合されるほぼ同一の成形部分の組立てによって形成される。それゆえ、潜水用ヘルメット１０は、前部外面１４と前部カラー２０とを含む前部分１１と、後部外面１６と後部カラー２２とを含む後部分１３を含む。一般に、それぞれの外面は、リベットを用いて、それぞれのカラーに接合されるが、ただし、半永久的などんな固定手段も使用されてもよい。
【００３１】
有利には、２つのほぼ同一の成形部分（１１、１３）から潜水用ヘルメット１０を作ることにより、製造費用が著しく節約される。これは、両方の部分を作るのに、ただ１組の成形ダイ（成形型）しか必要としないことによる。１つの成形ダイを使用して、前部外面１４と後部外面１６を成形し、また、１つの成形ダイを使用して、前部カラー２０と後部カラー２２を成形する。比較すると、従来技術の潜水用ヘルメットは、その潜水用ヘルメットを成形するのに、２組以上の成形ダイを必要とすることがある。
【００３２】
潜水用ヘルメット１０は、使用中、呼吸用空気が絶えず送り込まれるタイプのものである。図５は、実際に潜水用ヘルメット１０がどのように使用されるのか示している。一般に、潜水用ヘルメット１０は、広い水域において水中に沈められるダイバー６０の頭にかぶせられる。呼吸用空気が、空気発生器６４から、給気ホース６２を通じて、潜水用ヘルメット１０に絶えず送り込まれる。潜水用ヘルメット１０内の空気圧が水を締め出し、それにより、ダイバー６０は呼吸することができる。潜水用ヘルメット１０の向きが逆になって、潜水用ヘルメット１０が水で満たされるようになる場合には、単にその向きを正すことだけが必要である。また、空気発生器６４からの空気流の圧力が、内部の水を排除することになる。このようにして、潜水用ヘルメット１０は、有利には、未熟なダイバーでも安全に使用でき、それにより、例えば、未熟なダイバーが、海底を容易に歩くことができる。
【００３３】
空気発生器６４は、恒久的に繋留される場合も、恒久的に繋留されない場合もある設置台６６上に設置されている。給気ホース６２は、空気連絡アセンブリ（air connector assembly）４４を介して、潜水用ヘルメット１０に連絡される。空気連絡アセンブリ４４は、図２と図４にさらに詳しく示されている。
【００３４】
次に、図１〜図３を参照すると、ヘッド部分１２の前部半体１４と後部半体１６は両方とも、透明な材料から成形されたものである。これにより、ダイバーは、ほとんど途切れない視界を持つことができる。さらに、このような特別の目視範囲により、潜水用ヘルメット１０の着用がまったく目立たなくなるのがほとんどであるので、潜水用ヘルメット１０は、使用がさらに快適で、かつ望ましいものとなる。これは、そのような視界範囲を提供しない従来技術の潜水用ヘルメットに勝る有意な改良である。さらに、後部外面１４も透明にすることは、他のダイバーまたはインストラクタが、背後から該当ダイバーの身体状態を監視するのに役立つ。
【００３５】
空気連絡アセンブリ４４の要件は、成形の完了後に、後部外面１６に穴４２を開けなければならないという点で、２つの成形面（１４、１６）の間の主な構造上の違いを表している。ただし、前部外面１４は後部外面１６と同一であるから、穴４２は、製造の間に、これらの成形部分の一方の半体にのみ設ける必要がある。それゆえ、製造者は、前部外面１４と後部外面１６とを区別することを心配してなく、このことは、有利には、さらなる費用の節約を表している。
【００３６】
図１の軸線ＩＩ−ＩＩを通して切断した断面図である図４を参照すると、空気連絡アセンブリ４４のさらに詳細な図を明確に見ることができる。この好ましい実施形態では、製品４６は、フィルタとしても、ディフューザとしても働くが、ただし、図示されてない他の実施形態では、同一機能を果たすために、２つの別々の製品が利用されることがある。
【００３７】
空気連絡アセンブリ４４は、後部外面１６の上側部分に位置づけられる。このような場所は、空気を、潜水用ヘルメット１０においてダイバーの頭の後部上方に入れさせる。これは、ダイバーには空気流入が目立たなくなり、さらに、ディフューザ４６が望ましい静かな送気を与えるようなものである。
【００３８】
さきに記述されたように、潜水用ヘルメット１０は、外面とカラーをそれぞれが有する２つのほぼ同一の成形部分（１１、１３）から組み立てられる。成形部分（１１、１３）は、スペーサ・プレート３２の中心と一致している接合平面１００に沿って接合される。スペーサ・プレート３２は、成形部分１１と成形部分１３とを引き離し、前部ガスケット・シール３４および後部ガスケット・シール３６用の一様な封止面としても機能する。さらに、スペーサ・プレート３２は、向かい合った持上げ用取っ手２６および持上げ用開口４８用の取付け個所も提供する。
【００３９】
この好ましい実施形態では、製品（３２〜３６）は、スペーサ・プレート３２と一体成形される。別法として、製品（３２〜３６）は、何らかの固定手段を用いて、潜水用ヘルメット１０に取り付けられることがある。
【００４０】
前部支持プレート３８と後部支持プレート４０は、成形部分（１１、１３）を確実に接合するように、ネジ留め具５６が当たる面を提供する。
【００４１】
カラー部分１８は、肩係合部分２４を備えることで、ダイバーの肩を収容するように成形されている。肩係合部分２４は、逆Ｕ字形に似るように形づくられており、しかも、接合平面１００と一致している軸線Ｉ−Ｉに沿って突出している。肩係合部分２４を備えて、潜水用ヘルメット１０を、より確実にダイバーの身体に固定する。肩係合部分２４はまた、使用中に潜水用ヘルメット１０が前方または後方に傾かないようにしており、これは、従来技術の潜水用ヘルメットと共通の問題である。充填パッド（図示されてない）を肩係合部分２４の内側にも付けて、理想的に、あらゆるサイズのダイバーを受け入れるようにすることがある。
【００４２】
潜水用ヘルメット１０のヘッド部分１２に入っている空気の量に加えて、カラー部分１８により排除される水の量により、著しい浮力が生じる。潜水用ヘルメット１０が、水中に沈められると、その取扱いが容易となっている場合には、このような浮力に打ち勝たなければならない。これは、この種の従来技術の潜水用ヘルメットと共通の問題である。このような浮力に対抗するために、ともかく鉛のおもりを取り付けることが、当業者にはよく知られている。その結果、この種の潜水用ヘルメットは、一般に、水の外では非常に重たく、運ぶのに、通常、２人もしくは特殊なリフト装置を必要とする。
【００４３】
潜水用ヘルメット１０は、カラー部分１８の中に空胴（５２、５０）を設けることで、カラー部分１８で排除される水の量が減るために、上記浮力を減らす。図４は、これらの空胴（５２、５０）を断面で明確に示している。空胴（５２、５０）は、潜水用ヘルメット１０が水中に沈められると、ドレン穴５４を利用して水で満たされる。ドレン穴５４は、カラー部分１８の下部周縁の周りに位置づけられて、空胴（５２、５０）への水の出入りを自由に行わせるようにしている。空胴（５２、５０）が水で満たされ始めると、その浮力は、減少し始めるであろう。
【００４４】
空胴（５２、５０）を設けることにより、構造保全性（structural integrity）をまったく失うことなく、従来技術の潜水用ヘルメットのものよりも軽いおもりを潜水用ヘルメット１０に付けることができる。さらに、このことは、わかりやすく説明すると、潜水用ヘルメット１０が水中に沈められてないときには、空胴（５２、５０）が空であるから、潜水用ヘルメット１０がさらに軽くなって、かつ、より容易に動かせるということである。
【００４５】
浮力が減らされてきたが、それでも、この浮力はかなりのものであり、それゆえ、対抗荷重を潜水用ヘルメット１０に追加することで、この浮力に打ち勝つ必要がある。図３は、カラー部分１８の下部周縁に、かつ凹み（２９、３１）の中に、同一平面で取り付けられた鉛のおもり（２８、３０）を示している。凹み（２９、３１）（図３と図４）を設けることはさらに、鉛のおもり（２８、３０）に、余分の容積をまったく生じさせないようにすることで、カラー部分１８の浮力を減らすように働く。
【００４６】
従来技術のものと比較すると、上に挙げたすべての特徴を組み合わせることで、潜水用ヘルメット１０は、水面上で、さらに容易に取り扱うことができ、さらに安全に使用でき、ダイバーにはさらに快適で、かつ望ましいものとなり、さらに安価に製造でき、目視範囲をさらに広げることができる。
【００４７】
本発明は、特定の例を参照して述べられてきたが、当業者であれば、本発明が、他の多くの形態で実施できることが理解されよう。
【図面の簡単な説明】
【００４８】
【図１】本発明の好ましい実施形態による潜水用ヘルメットの前部斜視図である。
【図２】図１に示される潜水用ヘルメットの後部斜視図である。
【図３】図１に示される潜水用ヘルメットの下面斜視図である。
【図４】図１に示される潜水用ヘルメットのＩＩ−ＩＩ線を通して切断した側面断面図である。
【図５】使用時に示される、図１の潜水用ヘルメットの光景である。
【図１】
2008531357.tif 000003
【図２】
2008531357.tif 000004
【図３】
2008531357.tif 000005
【図４】
2008531357.tif 000006
【図５】
2008531357.tif 000007
【国際調査報告】
2008531357.tif 000008
2008531357.tif 000009
2008531357.tif 000010
2008531357.tif 000011